(57)【要約】【課題】複数の画像を固定された時間内で一通り表示する場合において、表示すべき画像が増えたとしても、表示の優先度に応じた表示時間とすることができる表示制御装置を提供する。【解決手段】表示制御装置の取得手段は、画像を取得し、記憶手段は、前記取得手段が取得した画像を複数記憶し、表示制御手段は、前記記憶手段に記憶されている各画像を固定された時間内で一通り表示装置に表示させるように制御し、前記取得手段が画像を取得した場合に、新たに取得した画像と前記記憶手段に記憶されている複数の画像については各画像の表示の優先度に応じて、前記表示装置に表示する時間を変更する制御を行う。【選択図】図１
2020046628.tif 000002
【特許請求の範囲】
【請求項１】
画像を取得する取得手段と、
前記取得手段が取得した画像を複数記憶する記憶手段と、
前記記憶手段に記憶されている各画像を固定された時間内で一通り表示装置に表示させるように制御し、
前記取得手段が画像を取得した場合に、新たに取得した画像と前記記憶手段に記憶されている複数の画像については各画像の表示の優先度に応じて、前記表示装置に表示する時間を変更する制御を行う表示制御手段
を備える表示制御装置。
【請求項２】
前記表示制御手段は、前記取得手段が画像を取得した場合に、前記優先度の高い画像については、新たに画像を取得した後の平均表示時間より低下させないように前記表示装置に表示する制御を行う、
請求項１に記載の表示制御装置。
【請求項３】
前記表示制御手段は、前記優先度の高い画像については、新たに画像を取得する前の表示時間より低下させないように前記表示装置に表示する時間の制御を行う、
請求項２に記載の表示制御装置。
【請求項４】
前記表示制御手段は、前記優先度の低い画像については、新たに画像を取得した後の平均表示時間より増加させないように前記表示装置に表示する時間の制御を行う、
請求項１に記載の表示制御装置。
【請求項５】
前記表示制御手段による前記表示装置に表示する時間の制御には、表示しないように制御することを含む、
請求項４に記載の表示制御装置。
【請求項６】
前記表示制御手段は、前記記憶手段に記憶されている画像の数が予め定められた数を超えた場合又は以上である場合に、新たに取得した画像と前記記憶手段に記憶されている複数の画像については各画像の表示の優先度に応じて、前記表示装置に表示する時間を変更する制御を行う、
請求項１に記載の表示制御装置。
【請求項７】
前記表示制御手段は、各画像の表示の優先度に応じて、前記予め定められた数を超えた画像の数だけ表示時間を低下させる制御を行う、
請求項６に記載の表示制御装置。
【請求項８】
前記表示制御手段は、各画像の表示の優先度に応じて、前記予め定められた数を超えた画像の数だけ表示しないように制御を行う、
請求項７に記載の表示制御装置。
【請求項９】
前記表示制御手段は、前記取得手段が画像を取得した場合に、新たに取得した画像と前記記憶手段に記憶されている複数の画像については各画像の表示の優先度に応じて、表示される領域を分割して表示する、
請求項１に記載の表示制御装置。
【請求項１０】
前記表示制御手段は、各画像の表示の優先度に応じて、画像を表示する領域の大きさを決定する、
請求項９に記載の表示制御装置。
【請求項１１】
前記表示制御手段は、各画像の表示の優先度に応じて、表示領域に表示する分割の領域の数を制御する、
請求項９に記載の表示制御装置。
【請求項１２】
コンピュータを、
画像を取得する取得手段と、
前記取得手段が取得した画像を複数記憶する記憶手段と、
前記記憶手段に記憶されている各画像を固定された時間内で一通り表示装置に表示させるように制御し、
前記取得手段が画像を取得した場合に、新たに取得した画像と前記記憶手段に記憶されている複数の画像については各画像の表示の優先度に応じて、前記表示装置に表示する時間を変更する制御を行う表示制御手段
として機能させるための表示制御プログラム。
【発明の詳細な説明】
【技術分野】
【０００１】
本発明は、表示制御装置及び表示制御プログラムに関する。
【背景技術】
【０００２】
特許文献１には、表示対象の画像データが複数ある場合に、簡易な操作で当該複数の画像データがデジタルサイネージ装置にどのように表示されるかを設定することを可能にすることを課題とし、画像形成装置は、画像読取部と、記憶部と、通信部と、受付部と、動作制御部とを備え、記憶部は、デジタルサイネージ装置に一対一に対応付けられたサイネージ用記憶領域を有し、サイネージ用記憶領域には、画像読取部が原稿載置台に載置された原稿を読み取って生成した複数の画像データ、及び、デジタルサイネージ装置が複数の画像データを表示する際の表示態様に関する表示設定を示す設定データが記憶され、動作制御部は、通信部に、サイネージ用記憶領域に記憶された複数の画像データ及び設定データをデジタルサイネージ装置へ送信させることが開示されている。
【先行技術文献】
【特許文献】
【０００３】
【特許文献１】特開２０１６−０９６５１０号公報
【発明の概要】
【発明が解決しようとする課題】
【０００４】
登録された複数の画像の各画像が固定された時間内で一通り表示されるデジタルサイネージ装置において、表示させる画像を追加した場合、登録された画像の増加に伴って、今まで表示されていた画像については追加される前の表示時間より短くなる。しかし、それらの画像については、表示の優先度が高いものもあり、一律に一画像あたりの表示時間を短くするのは好ましくない場合がある。画像の表示時間が短くなると、その画像の視認性が低下することになるからである。
本発明は、複数の画像を固定された時間内で一通り表示する場合において、表示すべき画像が増えたとしても、表示の優先度に応じた表示時間とすることができる表示制御装置及び表示制御プログラムを提供することを目的としている。
【課題を解決するための手段】
【０００５】
かかる目的を達成するための本発明の要旨とするところは、次の各項の発明に存する。
請求項１の発明は、画像を取得する取得手段と、前記取得手段が取得した画像を複数記憶する記憶手段と、前記記憶手段に記憶されている各画像を固定された時間内で一通り表示装置に表示させるように制御し、前記取得手段が画像を取得した場合に、新たに取得した画像と前記記憶手段に記憶されている複数の画像については各画像の表示の優先度に応じて、前記表示装置に表示する時間を変更する制御を行う表示制御手段を備える表示制御装置である。
【０００６】
請求項２の発明は、前記表示制御手段は、前記取得手段が画像を取得した場合に、前記優先度の高い画像については、新たに画像を取得した後の平均表示時間より低下させないように前記表示装置に表示する制御を行う、請求項１に記載の表示制御装置である。
【０００７】
請求項３の発明は、前記表示制御手段は、前記優先度の高い画像については、新たに画像を取得する前の表示時間より低下させないように前記表示装置に表示する時間の制御を行う、請求項２に記載の表示制御装置である。
【０００８】
請求項４の発明は、前記表示制御手段は、前記優先度の低い画像については、新たに画像を取得した後の平均表示時間より増加させないように前記表示装置に表示する時間の制御を行う、請求項１に記載の表示制御装置である。
【０００９】
請求項５の発明は、前記表示制御手段による前記表示装置に表示する時間の制御には、表示しないように制御することを含む、請求項４に記載の表示制御装置である。
【００１０】
請求項６の発明は、前記表示制御手段は、前記記憶手段に記憶されている画像の数が予め定められた数を超えた場合又は以上である場合に、新たに取得した画像と前記記憶手段に記憶されている複数の画像については各画像の表示の優先度に応じて、前記表示装置に表示する時間を変更する制御を行う、請求項１に記載の表示制御装置である。
【００１１】
請求項７の発明は、前記表示制御手段は、各画像の表示の優先度に応じて、前記予め定められた数を超えた画像の数だけ表示時間を低下させる制御を行う、請求項６に記載の表示制御装置である。
【００１２】
請求項８の発明は、前記表示制御手段は、各画像の表示の優先度に応じて、前記予め定められた数を超えた画像の数だけ非表示にする制御を行う、請求項７に記載の表示制御装置である。
【００１３】
請求項９の発明は、前記表示制御手段は、前記取得手段が画像を取得した場合に、新たに取得した画像と前記記憶手段に記憶されている複数の画像については各画像の表示の優先度に応じて、表示される領域を分割して表示する、請求項１に記載の表示制御装置である。
【００１４】
請求項１０の発明は、前記表示制御手段は、各画像の表示の優先度に応じて、画像を表示する領域の大きさを決定する、請求項９に記載の表示制御装置である。
【００１５】
請求項１１の発明は、前記表示制御手段は、各画像の表示の優先度に応じて、表示領域に表示する分割の領域の数を制御する、請求項９に記載の表示制御装置である。
【００１６】
請求項１２の発明は、コンピュータを、画像を取得する取得手段と、前記取得手段が取得した画像を複数記憶する記憶手段と、前記記憶手段に記憶されている各画像を固定された時間内で一通り表示装置に表示させるように制御し、前記取得手段が画像を取得した場合に、新たに取得した画像と前記記憶手段に記憶されている複数の画像については各画像の表示の優先度に応じて、前記表示装置に表示する時間を変更する制御を行う表示制御手段として機能させるための表示制御プログラムである。
【発明の効果】
【００１７】
請求項１の表示制御装置によれば、複数の画像を固定された時間内で一通り表示する場合において、表示すべき画像が増えたとしても、表示の優先度に応じた表示時間とすることができる。
【００１８】
請求項２の表示制御装置によれば、優先度の高い画像については、新たに画像を取得した後の平均表示時間より低下させないように表示することができる。
【００１９】
請求項３の表示制御装置によれば、優先度の高い画像については、新たに画像を取得する前の表示時間より低下させないように表示することができる。
【００２０】
請求項４の表示制御装置によれば、優先度の低い画像については、新たに画像を取得した後の平均表示時間より増加させないように表示することができる。
【００２１】
請求項５の表示制御装置によれば、優先度の低い画像については、表示装置に表示しないようにすることができる。
【００２２】
請求項６の表示制御装置によれば、記憶手段に記憶されている画像の数が予め定められた数を超えた場合又は以上である場合に、表示装置に表示する時間を変更する制御を行うことができる。
【００２３】
請求項７の表示制御装置によれば、各画像の表示の優先度に応じて、予め定められた数を超えた画像の数だけ表示時間を低下させることができる。
【００２４】
請求項８の表示制御装置によれば、各画像の表示の優先度に応じて、予め定められた数を超えた画像の数だけ表示しないようにすることができる。
【００２５】
請求項９の表示制御装置によれば、各画像の表示の優先度に応じて、表示される領域を分割して表示することができる。
【００２６】
請求項１０の表示制御装置によれば、各画像の表示の優先度に応じて、画像を表示する領域の大きさを決定することができる。
【００２７】
請求項１１の表示制御装置によれば、各画像の表示の優先度に応じて、表示領域に表示する分割の領域の数を制御することができる。
【００２８】
請求項１２の表示制御プログラムによれば、複数の画像を固定された時間内で一通り表示する場合において、表示すべき画像が増えたとしても、表示の優先度に応じた表示時間とすることができる。
【図面の簡単な説明】
【００２９】
【図１】本実施の形態の構成例についての概念的なモジュール構成図である。
【図２】本実施の形態を利用したシステム構成例を示す説明図である。
【図３】本実施の形態による処理例を示すフローチャートである。
【図４】画像属性情報テーブルのデータ構造例を示す説明図である。
【図５】本実施の形態による処理例を示すフローチャートである。
【図６】本実施の形態による処理例を示すフローチャートである。
【図７】画像・表示時間テーブルのデータ構造例を示す説明図である。
【図８】本実施の形態による処理例を示すフローチャートである。
【図９】本実施の形態による処理例を示すフローチャートである。
【図１０】本実施の形態による処理例を示すフローチャートである。
【図１１】本実施の形態による処理例を示すフローチャートである。
【図１２】本実施の形態による画面の分割例を示す説明図である。
【図１３】本実施の形態による処理例を示すフローチャートである。
【図１４】本実施の形態による画面の分割例を示す説明図である。
【図１５】本実施の形態による画面の分割例を示す説明図である。
【図１６】本実施の形態による画面の分割例を示す説明図である。
【図１７】本実施の形態による処理例を示すフローチャートである。
【図１８】本実施の形態による処理例を示すフローチャートである。
【図１９】本実施の形態による処理例を示すフローチャートである。
【図２０】本実施の形態を実現するコンピュータのハードウェア構成例を示すブロック図である。
【発明を実施するための形態】
【００３０】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００３１】
本実施の形態である表示制御装置１００は、表示装置１９０の画像の表示を制御するものであって、図１の例に示すように、画像取得モジュール１１０、画像記憶モジュール１２０、表示制御モジュール１３０を有している。
表示装置１９０は、表示制御装置１００の表示制御モジュール１３０と接続されている。表示装置１９０として、例えば、広告、告知等に利用されるデジタルサイネージ装置における表示装置がある。また、表示制御装置は、そのデジタルサイネージ装置内に実装されていてもよいし、そのデジタルサイネージ装置を外部から制御する装置内に実装されていてもよい。
【００３２】
画像取得モジュール１１０は、画像記憶モジュール１２０と接続されている。画像取得モジュール１１０は、画像を取得して、その画像を画像記憶モジュール１２０に記憶させる。画像を取得するとは、例えば、スキャナ、カメラ等で画像を読み込むこと、ファックス等で通信回線を介して外部機器から画像を受信すること、ハードディスク等の記憶装置（コンピュータに内蔵されているものの他に、ネットワークを介して接続されているもの等を含む）等に記憶されている画像を読み出すこと等が含まれる。画像は、多値画像（カラー画像を含む）であってもよいし、２値画像であってもよい。受け付ける画像は、１枚であってもよいし、複数枚であってもよい。また、画像の内容として、広告宣伝用のパンフレット、ビジネスに用いられる文書等であってもよい。
【００３３】
画像記憶モジュール１２０は、画像取得モジュール１１０、表示制御モジュール１３０と接続されている。画像記憶モジュール１２０は、画像取得モジュール１１０が取得した画像を記憶する。そして、画像記憶モジュール１２０は、複数の画像を記憶する。また、画像記憶モジュール１２０に記憶された画像は、表示装置１９０への表示対象となる。なお、記憶装置（ハードディスク、ＵＳＢメモリ等の記録メディア）全体の領域を画像記憶モジュール１２０としてもよいし、その記憶装置内の予め定められた記憶領域（例えば、パーティション、フォルダー、ディレクトリ等）を画像記憶モジュール１２０としてもよい。
【００３４】
表示制御モジュール１３０は、画像記憶モジュール１２０、表示装置１９０と接続されている。表示制御モジュール１３０は、画像記憶モジュール１２０に記憶されている各画像を固定された時間内で一通り表示装置１９０に表示させるように制御する。
そして、表示制御モジュール１３０は、画像取得モジュール１１０が画像を取得した場合に、新たに取得した画像と画像記憶モジュール１２０に記憶されている複数の画像については各画像の表示の優先度に応じて、表示装置１９０に表示する時間を変更する制御を行う。
ここで「固定された時間内で一通り表示」とは、予め定められた時間（例えば、６０分等）を１周期として、その予め定められた時間の間に、画像記憶モジュール１２０に登録されている画像を一通り表示させることをいう。この「一通り表示」には、各画像の表示する時間の長短は問わない。そして、表示する時間を０とすること（その画像は表示させないこと）を含めてもよい。逆に、表示する時間を「固定された時間」とすること（その画像だけを表示すること）を含めてもよい。また、固定された時間内での表示する回数も問わない。例えば、固定された時間内での表示時間が１０分である場合、１０分連続して表示してもよいし、１分ずつ１０回表示するようにしてもよい。
「表示する時間を変更する」としては、対象となっている画像の表示時間を増加させる、又は、減少（低下）させることがある。
【００３５】
また、表示制御モジュール１３０は、画像取得モジュール１１０が画像を取得した場合に、優先度の高い画像については、新たに画像を取得した後の平均表示時間より低下させないように表示装置１９０に表示する制御を行うようにしてもよい。
ここで「優先度」とは、表示装置１９０に表示させたい度合いを示す。例えば、画像の登録日時、登録したユーザー、画像の種類（告知文書、広告等）、重要度を表す情報、画像に含まれる文字の大きさ、文字数、カラー画像の有無、画像に含まれる文字列、締め切り期限等の画像に含まれる情報から優先度を決定する。
「優先度の高い画像」とは、予め定められた優先度より高い又は以上である優先度を持つ画像であること、又は、優先度でソートした順位において予め定められた順位より高い又は以上であることをいう。
「新たに画像を取得した後の平均表示時間」とは、固定された時間（各画像を一通り表示する時間、１周期の時間）を新たに画像を取得した後の画像数で単純に除算した値である。例えば、１周期が６０分であり、新たに画像を取得した後の画像数が６枚となった場合は、平均表示時間は１０分である。
【００３６】
そして、表示制御モジュール１３０は、優先度の高い画像については、新たに画像を取得する前の表示時間より低下させないように表示装置１９０に表示する時間の制御を行うようにしてもよい。
「新たに画像を取得する前の表示時間より低下させない」とは、以前の表示時間と同じこと、以前の表示時間よりも長くすることが含まれる。
例えば、優先度の高い画像の表示時間が１０分である場合に、新たに表示用の画像を取得したとしても、その１０分よりも短くはしないことをいう。ただし、表示用の画像を取得した後も「優先度の高い画像」であることが必要である。例えば、画像Ａが、新たに表示用の画像を取得する前の状態では、優先度の高い画像であったが、新たに取得した表示用の画像の優先度が画像Ａの優先度より高い場合は、画像Ａは優先度の高い画像ではなくなる場合がある。
【００３７】
さらに、表示制御モジュール１３０は、優先度の高い画像については、各画像が一通り表示される１周期分の表示時間まで表示装置１９０に表示する制御を行うようにしてもよい。
例えば、表示対象である画像が複数枚（例えば、６枚等）あるが、優先度の高い画像が１枚のみである場合、その優先度の高い画像だけを固定された時間（前述の例では、６０分）の間、表示させる。この場合、表示の形態として、例えば、優先度の高い画像を６０分表示した後、登録画像とは関係ないインフォメーション表示を１分行い、その後また優先度の高い画像を６０分表示させるようにすればよい。
【００３８】
また、表示制御モジュール１３０は、画像取得モジュール１１０が画像を取得した場合に、優先度の低い画像については、新たに画像を取得する前の表示時間より増加させないように表示装置１９０に表示する制御を行うようにしてもよい。
「優先度の低い画像」とは、予め定められた優先度より低い又は以下である優先度を持つ画像であること、又は、優先度でソートした順位において予め定められた順位より低い又は以下であることをいう。例えば、優先度が「高」、「中」、「低」の３段階ある場合、予め定められた優先度を「高」とした場合、優先度が「低」の画像の他に、優先度が「中」の画像も「優先度の低い画像」となる。
例えば、表示対象の画像が５枚であり、その５枚の画像の優先度はいずれも「低」であり、１周期が６０分である場合、１枚当たりの表示時間は１２分である。優先度が「高」である画像を１枚取得した場合、優先度が「低」である５枚の画像の表示時間を短くして９分とし、残りの時間である１５分を優先度が「高」である画像の表示時間とする。つまり、優先度が「低」である画像の表示時間を１２分から９分として、「新たに画像を取得する前の表示時間より増加させないように」（又は、新たに画像を取得する前の表示時間より減少させるように）している。なお、表示時間の減少方法として、予め定められた値（正の数値）を減算するようにしてもよいし、予め定められた値（１より大である数値）で除算するようにしてもよいし、ユーザーに選択させるようにしてもよい。ユーザーに選択させる場合は、優先度の低い画像については減少させることしかできないユーザーインターフェイスとしてもよい。
また、例えば、表示対象の画像が５枚であり、そのうち１枚の画像の優先度は「中」であり、残りの４枚の画像の優先度が「低」であり、１周期が６０分である場合、優先度の「中」である画像の表示時間が１４分、優先度の「低」である画像の表示時間が１１分３０秒であったとする。優先度が「高」である画像を１枚取得した場合、優先度が「中」である画像を短くして１１分とし、優先度が「低」である４枚の画像を短くして９分１５秒とし、残りの時間である１２分を優先度が「高」である画像の表示時間とする。つまり、優先度が「中」（この場合、優先度の「中」は、優先度が「高」よりも低い優先度であって、「優先度の低い画像」に該当する）である画像の表示時間を１４分から１１分とし、優先度が「低」である画像の表示時間を１１分３０秒から９分１５秒として、「新たに画像を取得する前の表示時間より増加させないように」（又は、新たに画像を取得する前の表示時間より減少させるように）している。
なお、この２つの例は、「画像取得モジュール１１０が画像を取得した場合に、優先度の高い画像については、新たに画像を取得した後の平均表示時間より低下させないようにする」ことの例示でもある。
【００３９】
そして、表示制御モジュール１３０は、優先度の低い画像については、新たに画像を取得した後の平均表示時間より増加させないように表示装置１９０に表示する時間の制御を行うようにしてもよい。前述した、優先度の高い画像については、新たに画像を取得した後の平均表示時間より低下させないように表示装置１９０に表示する制御を行うことに対応するものである。
【００４０】
さらに、表示制御モジュール１３０による表示装置１９０に表示する時間の制御には、表示しないように制御することを含むようにしてもよい。
ここで「表示しないように制御すること」とは、表示装置１９０に表示する時間を０にすることである。
【００４１】
また、表示制御モジュール１３０は、画像記憶モジュール１２０に記憶されている画像の数が予め定められた数を超えた場合又は以上である場合に、新たに取得した画像と画像記憶モジュール１２０に記憶されている複数の画像については各画像の表示の優先度に応じて、表示装置１９０に表示する時間を変更する制御を行うようにしてもよい。
ここで「画像記憶モジュール１２０に記憶されている画像」とは、表示装置１９０に表示する対象である画像のことをいう。
また、「画像記憶モジュール１２０に記憶されている画像の数」は、一般的には、新たに画像を取得した後の状態における画像の数であるが、新たに画像を取得する前の状態における画像の数であってもよい。
【００４２】
そして、表示制御モジュール１３０は、各画像の表示の優先度に応じて、予め定められた数を超えた画像の数だけ表示時間を低下させる制御を行うようにしてもよい。例えば、予め定められた数が１０枚である場合、表示対象の画像が１２枚である場合は、２枚の表示時間を低下させることになる。なお、「表示時間を低下させる」とは、既に表示されていた画像である場合は、その画像の以前の表示時間と比較した場合において低下させることであり、新しく取得した画像である場合（以前の表示時間がない場合）は、表示対象の画像の数における平均表示時間と比較した場合において低下（短く）させることである。
【００４３】
さらに、表示制御モジュール１３０は、各画像の表示の優先度に応じて、予め定められた数を超えた画像の数だけ非表示にする制御を行うようにしてもよい。つまり、「表示時間を低下させる」の一例として、表示時間を０にするように制御することである。
【００４４】
また、表示制御モジュール１３０は、画像取得モジュール１１０が画像を取得した場合に、新たに取得した画像と画像記憶モジュール１２０に記憶されている複数の画像については各画像の表示の優先度に応じて、表示される領域を分割して表示するようにしてもよい。
例えば、優先度に差がある場合（少なくとも優先度の値が２グループに分かれる場合）は、表示される領域を分割するように制御し、優先度に差がない場合（優先度の値が全ての画像で同じ場合）は、表示される領域を分割しないように制御する。
【００４５】
そして、表示制御モジュール１３０は、各画像の表示の優先度に応じて、画像を表示する領域の大きさを決定するようにしてもよい。一般的には、優先度の高い画像に大きい表示領域を割り当て、優先度の低い画像には小さい表示領域を割り当てる。
【００４６】
さらに、表示制御モジュール１３０は、各画像の表示の優先度に応じて、表示領域に表示する分割の領域の数を制御するようにしてもよい。
例えば、優先度が２段階（優先度が「高」と「低」）の場合は２分割（画面を大きさの異なる２つの領域に分けて、優先度の高い方が大きい領域に表示）、優先度が３段階（優先度が「高」と「中」と「低」）の場合は３分割（画面を大きさの異なる３つの領域に分けて、優先度の高いほど大きい領域に表示）、優先度が４段階（優先度が１〜４）の場合は４分割（画面を大きさの異なる４つの領域に分けて、優先度の高いほど大きい領域に表示）等がある。
【００４７】
また、表示制御モジュール１３０は、取得した日時が現在の日時より予め定められた期間内の画像については、表示する時間を前回表示された時間より低下させないよう制御するようにしてもよい。
新しく取得した画像（新しく表示対象となった画像）は、表示時間を低下させないようにしている。その結果、古い画像（既に長い時間表示された画像）は、表示時間が低下することになる。
【００４８】
そして、表示制御モジュール１３０は、取得した日時が現在の日時より予め定められた期間を超えた画像については、表示する時間を前回表示された時間より低下させるよう制御するようにしてもよい。前述の通り、古い画像については、表示時間を低下させることになる。
【００４９】
さらに、表示制御モジュール１３０は、取得した日時が現在の日時より予め定められた期間を超えた画像については、表示しないように制御を行ってもよい。つまり、「表示時間を低下させる」の一例として、表示時間を０にするように制御することである。
【００５０】
また、表示制御モジュール１３０の処理として、以下のようにしてもよい。
（１）
画像を登録したユーザーに応じて、画像を取得する前の表示時間より増加させないように表示装置１９０に表示する制御を行うようにしてもよい。
例えば、ユーザーが予め定められた者（例えば、一般的なユーザー、ゲストユーザー等）が読み込ませた文書の画像である場合は、新たな画像を取得する前の表示時間より短くしてもよい。
逆に、画像を登録したユーザーに応じて、画像を取得する前の表示時間より減少させないように表示装置１９０に表示する制御を行うようにしてもよい。
例えば、ユーザーが予め定められた者（例えば、管理者、高額の広告料（予め定められた額以上の広告料）を支払っている広告主のユーザー等）が読み込ませた文書の画像である場合は、新たな画像を取得する前の表示時間を維持してもよい。
【００５１】
（２）
取得した画像について文字認識処理を行い、抽出された文字が予め定められた文字を含む場合、画像を取得する前の表示時間より低下させないように表示装置１９０に表示する制御を行うようにしてもよい。
例えば、新たな画像を取得したとしても、「重要」、「インフルエンザ」等の文字が印刷された文書の画像が表示対象となっている場合、その文書の表示時間を低下させないようにするためである。
また、文書内の、（Ａ）文字の大きさ（例えば、予め定められた大きさよりも大きい文字が含まれている画像は優先度を高く等）、（Ｂ）文字の色（例えば、赤い文字が含まれている画像は優先度を高く等）、（Ｃ）文字数（例えば、予め定められた数よりも多い文字が含まれている画像は優先度を高く等）、（Ｄ）写真の面積（例えば、予め定められた面積よりも大きい写真が含まれている画像は優先度を低く等、面積率としてもよい。）に応じて、優先度を決定してもよい。
【００５２】
（３）
画像の種類に応じて、画像を取得する前の表示時間より低下させないように表示装置１９０に表示する制御を行うようにしてもよい。
例えば、画像の種類として告知文書である場合は、その文書の表示時間を低下させないようにするためである。
【００５３】
（４）
表示時間だけでなく、表示間隔、表示順序を優先度に応じて、変化させてもよい。
【００５４】
図２は、本実施の形態を利用したシステム構成例を示す説明図である。
図２（ａ）に示すシステムは、デジタルサイネージ装置２００内に表示制御装置１００を構成した例を示している。デジタルサイネージ装置２００は、表示制御装置１００、表示装置１９０を有している。デジタルサイネージ装置２００は、ディスプレイ（平面であってもよいし、曲面であってもよい）やプロジェクタなどによって画像を表示する。
画像処理装置２１０、デジタルサイネージ装置２００の表示制御装置１００は、通信回線２９０を介して接続されている。画像処理装置２１０は、少なくとも、スキャナの機能を有していればよく、例えば、複合機（スキャナ、プリンタ、複写機、ファックス等のいずれか２つ以上の機能を有している画像処理装置）である。通信回線２９０は、無線、有線、これらの組み合わせであってもよく、例えば、通信インフラとしてのインターネット、イントラネット等であってもよい。デジタルサイネージ装置２００は、画像表示の他に、音声（音楽を含む）をスピーカーから出力するようにしてもよい。
画像処理装置２１０で文書２２０を読み込ませ、画像処理装置２１０が文書２２０の画像（いわゆる投稿画像）をデジタルサイネージ装置２００（表示制御装置１００）に送信する。そして、表示制御装置１００が、画像をディスプレイに表示する。
デジタルサイネージ装置２００は、さらに、原稿から画像を読み取る読取モジュールを有していてもよい。つまり、デジタルサイネージ装置２００に画像処理装置２１０を組み込んでもよい（もちろんのことながら、画像処理装置２１０にデジタルサイネージ装置２００を組み込んでもよい）。画像取得モジュール１１０は、その読取モジュールが読み取った画像を取得する。
【００５５】
図２（ｂ）に示すシステムは、表示制御装置１００が複数の表示装置１９０を制御するシステム例を示している。
表示制御装置１００、表示装置１９０Ａ、表示装置１９０Ｂ、表示装置１９０Ｃ、表示装置１９０Ｄ、画像処理装置２１０は、通信回線２９５を介してそれぞれ接続されている。通信回線２９５は、無線、有線、これらの組み合わせであってもよく、例えば、通信インフラとしてのインターネット、イントラネット等であってもよい。また、表示制御装置１００による機能は、クラウドサービスとして実現してもよい。
画像処理装置２１０で文書２２０を読み込ませ、画像処理装置２１０が文書２２０の画像を表示制御装置１００に送信する。そして、表示制御装置１００が、画像を各表示装置１９０（予め定められた表示装置１９０であってもよい）のディスプレイに表示する。
【００５６】
具体例として、以下に示すような処理を行う。
（１）６０分を１周期とし、５枚の画像が画像記憶モジュール１２０に登録されている状態とする。この場合、１周期の６０分において、画像１枚当たり１２分の表示時間となる。
（２）ここで、表示対象である画像を画像記憶モジュール１２０に１枚追加したとする。
（３．０）一般的には（本実施の形態を用いない場合）、６枚の画像を１周期とするので、新たに画像を取得した後の表示時間は、画像１枚当たり１０分となる。つまり、登録数（表示数）が多くなると、情報の周知度が一律に低くなってしまう。
【００５７】
（３．１）そこで、本実施の形態では、以下のような処理を行う。
（３．１．１）例えば、６枚の画像のうち、優先度が高い２枚の画像、優先度が低い４枚の画像がある場合、画像それぞれの表示時間は、１２分、１２分、９分、９分、９分、９分となる。次のように算出する。
優先度の高い画像２枚については、画像を取得前の表示時間である１２分のままとする。つまり、新たに画像を取得する前の表示時間より低下しないようにしている。
優先度の低い画像４枚については、画像１枚当たり、次の計算によって算出する。
（６０−１２×２）／４＝９（分）
【００５８】
（３．１．２）例えば、６枚の画像のうち、優先度が高い画像が１枚、優先度が中である画像が１枚である場合、画像それぞれの表示時間は、１２分、１０分、９分３０秒、９分３０秒、９分３０秒、９分３０秒となる。次のように算出する。
優先度が中の画像は、６枚の場合の平均表示時間である１０分とする。つまり、新たに画像を取得した後の平均表示時間より低下しないようにしている。また、優先度の高い画像１枚については、画像を取得前の表示時間である１２分のままとする。つまり、新たに画像を取得する前の表示時間より低下しないようにしている。
優先度の低い画像４枚については、画像１枚当たり、次の計算によって算出する。
（６０−１２−１０）／４＝９．５（９分３０秒）
【００５９】
（３．１．３）なお、前述の例では、優先度が高い画像については、画像を取得前の表示時間である１２分のままとしているが、さらに表示時間を延ばしてもよい。例えば、（３．１．２）のように、６枚の画像のうち、優先度が高い画像が１枚、優先度が中である画像が１枚である場合、画像それぞれの表示時間は、１４分、１０分、９分、９分、９分、９分となる。次のように算出する。
優先度が中の画像は、６枚の場合の平均表示時間である１０分とする。優先度の高い画像１枚については、画像を取得前の表示時間である１２分より長い１４分とする。例えば、優先度の高い画像については、予め定められた時間（例えば、２分等）を加算すること、予め定められた１以上の係数を乗算すること等を行えばよい。つまり、新たに画像を取得する前の表示時間より低下しないようにしている。
優先度の低い画像４枚については、画像１枚当たり、次の計算によって算出する。
（６０−１４−１０）／４＝９（分）
【００６０】
図３は、本実施の形態（画像取得モジュール１１０）による処理例を示すフローチャートである。
ステップＳ３０２では、画像を取得する。
ステップＳ３０４では、画像、画像属性情報を画像記憶モジュール１２０に記憶させる。例えば、画像属性情報テーブル４００を画像記憶モジュール１２０に記憶させる。
【００６１】
図４は、画像属性情報テーブル４００のデータ構造例を示す説明図である。画像属性情報テーブル４００は、画像ＩＤ欄４１０、画像名称欄４２０、サイズ欄４３０、取得日時欄４４０、優先度欄４５０を有している。画像ＩＤ欄４１０は、本実施の形態において、画像を一意に識別するための情報（画像ＩＤ：ＩＤｅｎｔｉｆｉｃａｔｉｏｎ）を記憶している。画像名称欄４２０は、その画像の名称を記憶している。サイズ欄４３０は、その画像のサイズ（縦、横の画素数等）を記憶している。取得日時欄４４０は、その画像の取得日時（年、月、日、時、分、秒、秒以下、又はこれらの組み合わせであってもよい）を記憶している。優先度欄４５０は、その画像の優先度を記憶している。この優先度は、ユーザーによって設定されていてもよいし、前述したように、画像内の文字の大きさ等によって定めてもよい。
ステップＳ３０６では、次の画像があるか否かを判断し、ある場合はステップＳ３０２へ戻り、それ以外の場合は処理を終了する（ステップＳ３９９）。
【００６２】
図５は、本実施の形態（表示制御モジュール１３０）による処理例を示すフローチャートである。
ステップＳ５０２では、新しい画像を取得したか否かを判断し、取得した場合はステップＳ５０４へ進み、それ以外の場合は取得するまで待機する。
ステップＳ５０４では、各画像の優先度に応じて表示時間を算出する。ステップＳ５０４の詳細な処理については、図６の例に示すフローチャートを用いて後述する。
【００６３】
ステップＳ５０６では、表示処理を行う。ステップＳ５０６の詳細な処理については、図８の例に示すフローチャートを用いて後述する。
ステップＳ５０８では、表示を続けるか否かを判断し、続ける場合はステップＳ５０２へ戻り、それ以外の場合は処理を終了する（ステップＳ５９９）。
【００６４】
図６は、本実施の形態（表示制御モジュール１３０）による処理例を示すフローチャートである。
ステップＳ６０２では、優先度は「高」である否かを判断し、「高」の場合はステップＳ６０４へ進み、それ以外の場合はステップＳ６０６へ進む。
予め定められた優先度（閾値）と比較し、その閾値より高い又は以上の優先度である場合が「Ｙｅｓ」となり、その閾値以下又は未満の優先度である場合が「Ｎｏ」となる。
又は、優先度の高い順にソートし、予め定められた順位Ａより高い順位又は順位Ａ以上の順位の優先度である場合が「Ｙｅｓ」となり、順位Ａ以下の順位又は順位Ａより低い順位の優先度である場合が「Ｎｏ」となる。
ステップＳ６０４では、表示時間を長くする又は維持する。
【００６５】
ステップＳ６０６では、優先度は「中」であるか否かを判断し、「中」の場合はステップＳ６０８へ進み、それ以外の場合はステップＳ６１０へ進む。
ステップＳ６０８では、表示時間を維持又は短くする。
【００６６】
ステップＳ６１０では、表示時間を短く又は０（表示させない）とする。
このフローチャートでは、優先度を３段階としているが、２段階又は４段階以上に分けた優先度としてもよい。
このフローチャートの処理によって、例えば、画像・表示時間テーブル７００を生成する。図７は、画像・表示時間テーブル７００のデータ構造例を示す説明図である。画像・表示時間テーブル７００は、画像ＩＤ欄７１０、優先度欄７２０、表示時間欄７３０を有している。画像ＩＤ欄７１０は、画像ＩＤを記憶している。優先度欄７２０は、その画像の優先度を記憶している。表示時間欄７３０は、その画像の表示時間を記憶している。
【００６７】
図８は、本実施の形態（表示制御モジュール１３０）による処理例を示すフローチャートである。
ステップＳ８０２では、画像を画像記憶モジュール１２０から取り出す。
ステップＳ８０４では、画像を表示時間だけ表示する。
【００６８】
ステップＳ８０６では、一周期分の画像を表示したか否かを判断し、表示した場合は処理を終了し（ステップＳ８９９）、それ以外の場合はステップＳ８０２へ戻る。
【００６９】
図５の例に示すフローチャートの代わりに、図９の例に示すフローチャートによる処理を行ってもよい。
図９は、本実施の形態（表示制御モジュール１３０）による処理例を示すフローチャートである。
ステップＳ９０２では、新しい画像を取得したか否かを判断し、取得した場合はステップＳ９０４へ進み、それ以外の場合は取得するまで待機する。
ステップＳ９０４では、表示する画像の数は閾値以上であるか否かを判断し、閾値以上の場合はステップＳ９０６へ進み、それ以外の場合はステップＳ９０８へ進む。
【００７０】
ステップＳ９０６では、各画像の優先度に応じて表示時間を算出する。ステップＳ９０６の詳細な処理については、図１０の例に示すフローチャートを用いて後述する。
ステップＳ９０８では、一周期分の表示時間を画像数で除算した値を各画像の表示時間とする。
ステップＳ９１０では、表示処理を行う。ステップＳ９１０の詳細な処理については、図８の例に示すフローチャートを用いて前述した。
【００７１】
図１０は、本実施の形態（表示制御モジュール１３０）による処理例を示すフローチャートである。
ステップＳ１００２では、閾値より増加した画像の数を算出する。
ステップＳ１００４では、優先度の低い画像からステップＳ１００２で算出した数の画像を抽出する。
ステップＳ１００６では、優先度の低い画像から表示時間を短く又は０（表示させない）とする。
【００７２】
図５又は図９の例に示すフローチャートの代わりに、図１１の例に示すフローチャートによる処理を行ってもよい。
図１１は、本実施の形態（表示制御モジュール１３０）による処理例を示すフローチャートである。
ステップＳ１１０２では、表示すべき画像の数は閾値以上であるか否かを判断し、閾値以上の場合はステップＳ１１０４へ進み、それ以外の場合は処理を終了する（ステップＳ１１９９）。
ステップＳ１１０４では、優先度の高い画像があるか否かを判断し、ある場合はステップＳ１１０６へ進み、それ以外の場合はステップＳ１１１４へ進む。
【００７３】
ステップＳ１１０６では、表示領域を分割する。例えば、図１２に示す画面１２００のように分割を行う。図１２は、本実施の形態による画面の分割例を示す説明図である。
画面１２００を、表示エリア１：１２１０、表示エリア２：１２２０に分割する。
ステップＳ１１０８では、表示領域に画像を割り当てる。図１２の例では、表示エリア１：１２１０、表示エリア２：１２２０に、それぞれ画像を割り当てる。例えば、左側の表示エリア１：１２１０に優先度の高い画像を割り当て、右側の表示エリア２：１２２０に優先度の低い画像を割り当てるようにしてもよい。例えば、文字が多いもの、周知徹底したいもの等は優先度を高くして表示エリア１：１２１０に、写真や古い情報等は優先度を低くして表示エリア２：１２２０で比較的早いサイクルで表示を行うようにしてもよい。
【００７４】
ステップＳ１１１０では、表示領域毎に各画像の表示時間を算出する。例えば、前述した図６、図１０の例に示したフローチャートによる処理を行えばよい。例えば、表示エリア１：１２１０における表示時間を低下させないように設定し、情報の周知効果の低下を防ぐ。具体的には、表示エリア１：１２１０では１回あたりの表示時間を長くし、表示エリア２：１２２０は早く入れ替わる表示を行う設定とする。
ステップＳ１１１２では、表示領域毎に画像を表示するよう制御する。
ステップＳ１１１４では、優先度の高い画像がないので、一周期分の表示時間を画像数で除算した値を各画像の表示時間とする。
【００７５】
図１３は、本実施の形態による処理例を示すフローチャートである。具体例として、ユーザーによる文書の読み取り処理から始まる例を示す。
ステップＳ１３０２では、ユーザーによる画像処理装置２１０のＵＩ操作による文書のスキャンを開始する。なお、スキャンの開始の契機は、ＵＩ操作だけでなく、物理キー（ハードキーといわれるものを含む）に対する操作であってもよい。
ステップＳ１３０４では、スキャンインを完了する。
【００７６】
ステップＳ１３０６では、表示制御装置１００の画像記憶モジュール１２０への画像及び原稿情報の格納を完了する。原稿情報として、前述の画像属性情報テーブル４００がある。また、画像属性情報テーブル４００の情報に加えて、登録者（ユーザーＩＤ）を付加してもよい。
ステップＳ１３０８では、表示すべき画像が予め定められた閾値Ｎを超えるか否かを判断し、超える場合はステップＳ１３１０へ進み、それ以外の場合はステップＳ１３１６へ進む。つまり、表示のための画像の登録数が閾値Ｎを超えた場合に表示画面を分割して表示する。例えば、閾値Ｎを３６としてもよい。この閾値Ｎの３６は、１つの画像を一回１０秒表示し、１時間に最低１０回表示することを想定した値である。
ここで、閾値Ｎはサイネージコントローラで設定変更可能な任意の値である。
【００７７】
ステップＳ１３１０では、表示すべき画像を２つのグループに分ける。例えば、優先度によるグループ分けのほか、画像の取得日時（画像属性情報テーブル４００の取得日時欄４４０の値）の新旧、登録者情報等によってグループ分けしてもよい。
ステップＳ１３１２では、画面を２つのエリアに分割する。
【００７８】
ステップＳ１３１４では、２つのエリアにそれぞれ異なる画像を表示開始する。つまり、２分割したエリアにグループ分けしたものを順次表示していく。例えば、１０秒毎に順に画像のスライドショー表示を行う。
ステップＳ１３１６では、１つのエリアに画像を追加して表示開始する。
【００７９】
図１４は、本実施の形態による画面の分割例を示す説明図である。画面１４００を３分割して表示する例を示したものである。
画面１４００を、表示エリア１：１４１０、表示エリア２：１４２０、表示エリア３：１４３０に分割する。
図１３のステップＳ１３１０のようなグループ分けの他に、原稿情報（画像属性情報テーブル４００のサイズ欄４３０の縦と横のサイズ）により縦長原稿（いわゆるポートレート型）については表示エリア１：１４１０のグループに含めるよう制御するようにしてもよい。縦長原稿の場合は、表示エリア２：１４２０、表示エリア３：１４３０に表示させると、表示エリアが横長（いわゆるランドスケープ型）のためユーザーに見えるサイズが小さくなり情報の周知効果の低下を招くこととなる。そこで、表示エリア１：１４１０に縦長原稿を表示し、表示エリア２：１４２０、表示エリア３：１４３０には横長原稿を表示するようにしてもよい。
また、写真領域判定処理（又は、文字領域判定処理）、文字認識処理等により、文字数が予め定められた数以上の画像、又は、その文字のサイズが予め定められたサイズ以下（小さな文字）である画像を優先度が高い画像としてもよい。いわゆるビジー（Ｂｕｓｙ）な画像（例えば、文字数が規定数以上、詳細な地図等）については分割エリアのうち大きなエリア（図１４の表示エリア１：１４１０）に表示するようにしてもよい。大きく表示することにより情報の周知効果の低下を防ぐようにしている。
【００８０】
図１５は、本実施の形態による画面の分割例を示す説明図である。画像を表示する画面が縦長であるか横長であるかによって、画面の分割方法を変更してもよい。
縦長である画面１５００を、表示エリア１：１５１０、表示エリア２：１５２０、表示エリア３：１５３０に分割する。縦長表示の場合、３分割は図１５のように行い、図１４の例とは、異なる分割例を示すものである。例えば、表示エリア１：１５１０に優先度が高い画像を表示し、表示エリア２：１５２０に優先度が中である画像を表示し、表示エリア３：１５３０に優先度が低い画像を表示する。
【００８１】
図１６は、本実施の形態による画面の分割例を示す説明図である。また、表示領域の大きさを異ならせるようにしてもよい。
画面１６００を、表示エリア１：１６１０、表示エリア２：１６２０、表示エリア３：１６３０、表示エリア４：１６４０に分割する。優先度が高い画像から、表示エリア１：１６１０、表示エリア２：１６２０、表示エリア３：１６３０、表示エリア４：１６４０に割り当てるようにすればよい。また、優先度が高い画像については、複数の表示エリアを割り当てるようにしてもよい。また、画像が縦長であるか横長であるかによって、割り当てる表示エリアを決定してもよい。図１６の例では、縦長画像は表示エリア１：１６１０、表示エリア４：１６４０を割り当て、横長画像は表示エリア２：１６２０、表示エリア３：１６３０を割り当てるようにしてもよい。
【００８２】
図１７は、本実施の形態による処理例を示すフローチャートである。
ステップＳ１７０２では、画像の取得日時は新しいか否かを判断し、新しい場合はステップＳ１７０４へ進み、それ以外の場合はステップＳ１７０６へ進む。取得日時が新しいか否かは、取得日時が現在日時より予め定められた期間内である場合は新しいと判断し、その期間内ではない場合を古いと判断すればよい。
ステップＳ１７０４では、表示時間を長くする又は維持する。つまり、優先度が高い画像として扱う。
ステップＳ１７０６では、表示時間を短く又は０（表示させない）とする。つまり、優先度が低い画像として扱う。
【００８３】
図１８は、本実施の形態による処理例を示すフローチャートである。
ステップＳ１８０２では、画像の表示時間が予め定められた閾値より短いか否かを判断し、短い場合はステップＳ１８０４へ進み、それ以外の場合は処理を終了する（ステップＳ１８９９）。例えば、表示すべき画像が多くなり、画像の表示時間が短くなった場合に、ステップＳ１８０４へ進むことになる。
ステップＳ１８０４では、画像の取得日時は新しいか否かを判断し、新しい場合はステップＳ１８０６へ進み、それ以外の場合はステップＳ１８０８へ進む。図１７の例に示したフローチャート内のステップＳ１７０２と同等の処理を行う。
ステップＳ１８０６では、表示時間を長くする又は維持する。
ステップＳ１８０８では、表示時間を短く又は０（表示させない）とする。
【００８４】
図１９は、本実施の形態による処理例を示すフローチャートである。具体例として、優先度を決定して、グループ分けする例を示す。
ステップＳ１９０２では、表示すべき画像の画像属性情報はあるか否かを判断し、ある場合はステップＳ１９０４へ進み、それ以外の場合はステップＳ１９１０へ進む。
ステップＳ１９０４では、表示すべき画像の数が予め定められた閾値Ｎを超えないか否かを判断し、超えない場合は処理を終了し（ステップＳ１９９９）、それ以外の場合はステップＳ１９０６へ進む。
【００８５】
ステップＳ１９０６では、グループ分けを行う。例えば、画像記憶モジュール１２０に登録されている画像属性情報内のユーザー情報を用いて、表示エリア１に表示する画像（優先度の高い画像）を選定する。具体的には、管理者の操作による画像の登録である場合、表示エリア１に表示するように（優先度が高い画像として）グルーピングする。
ステップＳ１９０８では、表示すべき画像の数が予め定められた閾値Ｎを超えないか否かを判断し、超えない場合は処理を終了し（ステップＳ１９９９）、それ以外の場合はステップＳ１９１０へ進む。
【００８６】
ステップＳ１９１０では、優先度は設定されているか否かを判断し、設定されている場合はステップＳ１９１２へ進み、それ以外の場合はステップＳ１９１６へ進む。
ステップＳ１９１２では、グループ分けを行う。優先度を用いたグループ分けを行う。
【００８７】
ステップＳ１９１４では、表示すべき画像の数が予め定められた閾値Ｎを超えないか否かを判断し、超えない場合は処理を終了し（ステップＳ１９９９）、それ以外の場合はステップＳ１９１６へ進む。
ステップＳ１９１６では、取得日時によるグループ分けを行う。新しく取得した画像であるか、取得日時が古い画像であるかによってグループ分けを行う。
【００８８】
例えば、優先度の高い画像は表示エリア１に表示し、表示エリア１の表示時間を規定値より低下させなくし、情報の周知効果の低下を防ぐ。優先度の低い画像は表示エリア２に表示し、表示エリア２については規定値Ｎを超えた場合は表示時間を短くすることにより、１周期内に全ての画像を表示させることを可能とする。また、取得日時が古い画像は非表示にすることにより、表示する画像数を規定値Ｎ以下とするようにしてもよい。
【００８９】
図２０を参照して、本実施の形態の表示制御装置１００のハードウェア構成例について説明する。図２０に示す構成は、例えばパーソナルコンピュータ（ＰＣ）等によって構成されるものであり、スキャナ等のデータ読み取り部２０１７と、プリンタ等のデータ出力部２０１８を備えたハードウェア構成例を示している。
【００９０】
ＣＰＵ（Ｃｅｎｔｒａｌ  Ｐｒｏｃｅｓｓｉｎｇ  Ｕｎｉｔ）２００１は、前述の実施の形態において説明した各種のモジュール、すなわち、画像取得モジュール１１０、表示制御モジュール１３０等の各モジュールの実行シーケンスを記述したコンピュータ・プログラムにしたがった処理を実行する制御部である。
【００９１】
ＲＯＭ（Ｒｅａｄ  Ｏｎｌｙ  Ｍｅｍｏｒｙ）２００２は、ＣＰＵ２００１が使用するプログラムや演算パラメータ等を格納する。ＲＡＭ（Ｒａｎｄｏｍ  Ａｃｃｅｓｓ  Ｍｅｍｏｒｙ）２００３は、ＣＰＵ２００１の実行において使用するプログラムや、その実行において適宜変化するパラメータ等を格納する。これらはＣＰＵバス等から構成されるホストバス２００４により相互に接続されている。
【００９２】
ホストバス２００４は、ブリッジ２００５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス２００６に接続されている。
【００９３】
キーボード２００８、マウス等のポインティングデバイス２００９は、操作者により操作されるデバイスである。ディスプレイ２０１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス２００９とディスプレイ２０１０の両方の機能を備えているタッチスクリーン等であってもよい。その場合、キーボードの機能の実現について、キーボード２００８のように物理的に接続しなくても、画面（タッチスクリーン）上にソフトウェアでキーボード（いわゆるソフトウェアキーボード、スクリーンキーボード等ともいわれる）を描画して、キーボードの機能を実現するようにしてもよい。
【００９４】
ＨＤＤ（Ｈａｒｄ  Ｄｉｓｋ  Ｄｒｉｖｅ）２０１１は、ハードディスク（フラッシュ・メモリ等であってもよい）を内蔵し、ハードディスクを駆動し、ＣＰＵ２００１によって実行するプログラムや情報を記録又は再生させる。ハードディスクは、画像記憶モジュール１２０等としての機能を実現させる。さらに、その他の各種データ、各種コンピュータ・プログラム等が格納される。
【００９５】
ドライブ２０１２は、装着されている磁気ディスク、光ディスク、光磁気ディスク、又は半導体メモリ等のリムーバブル記録媒体２０１３に記録されているデータ又はプログラムを読み出して、そのデータ又はプログラムを、インタフェース２００７、外部バス２００６、ブリッジ２００５、及びホストバス２００４を介して接続されているＲＡＭ２００３に供給する。なお、リムーバブル記録媒体２０１３も、データ記録領域として利用可能である。
【００９６】
接続ポート２０１４は、外部接続機器２０１５を接続するポートであり、ＵＳＢ、ＩＥＥＥ１３９４等の接続部を持つ。接続ポート２０１４は、インタフェース２００７、及び外部バス２００６、ブリッジ２００５、ホストバス２００４等を介してＣＰＵ２００１等に接続されている。通信部２０１６は、通信回線に接続され、外部とのデータ通信処理を実行する。データ読み取り部２０１７は、例えばスキャナであり、ドキュメントの読み取り処理を実行する。データ出力部２０１８は、例えばプリンタであり、ドキュメントデータの出力処理を実行する。
【００９７】
なお、図２０に示す表示制御装置１００のハードウェア構成は、１つの構成例を示すものであり、本実施の形態は、図２０に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）や再構成可能な集積回路（ｆｉｅｌｄ−ｐｒｏｇｒａｍｍａｂｌｅ  ｇａｔｅ  ａｒｒａｙ：ＦＰＧＡ）等）で構成してもよく、一部のモジュールは外部のシステム内にあり通信回線で接続している形態でもよく、さらに図２０に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機などに組み込まれていてもよい。
【００９８】
また、前述の実施の形態の説明内での比較処理において、「以上」、「以下」、「より大きい（超える等）」、「より小さい（未満）」としたものは、その組み合わせに矛盾が生じない限り、それぞれ「より大きい」、「より小さい（未満）」、「以上」、「以下」としてもよい。
【００９９】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【０１００】
１００…表示制御装置
１１０…画像取得モジュール
１２０…画像記憶モジュール
１３０…表示制御モジュール
１９０…表示装置
２００…デジタルサイネージ装置
２１０…画像処理装置
２２０…文書
２９０…通信回線
２９５…通信回線
【図１】
2020046628.tif 000003
【図２】
2020046628.tif 000004
【図３】
2020046628.tif 000005
【図４】
2020046628.tif 000006
【図５】
2020046628.tif 000007
【図６】
2020046628.tif 000008
【図７】
2020046628.tif 000009
【図８】
2020046628.tif 000010
【図９】
2020046628.tif 000011
【図１０】
2020046628.tif 000012
【図１１】
2020046628.tif 000013
【図１２】
2020046628.tif 000014
【図１３】
2020046628.tif 000015
【図１４】
2020046628.tif 000016
【図１５】
2020046628.tif 000017
【図１６】
2020046628.tif 000018
【図１７】
2020046628.tif 000019
【図１８】
2020046628.tif 000020
【図１９】
2020046628.tif 000021
【図２０】
2020046628.tif 000022